(57)【要約】【課題】  医師は医療カンファレンスの準備を行う時間を多く取れない。【解決手段】  患者検査データ及び会議の議題を設定し、会議の議題となる患者情報のリスト表示に際して、当該議題に関する会議資料準備状況又は結論状態をアイコンとして表示する。【選択図】  図１
2013186651.tif 000002
【特許請求の範囲】
【請求項１】
医療における会議を支援する会議支援装置であって、
患者検査データ及び会議の議題を設定をする手段と、
会議の議題となる患者情報のリスト表示に際して、当該議題に関する会議資料の準備状況又は結論状態をアイコンとして表示する手段とを有することを特徴とする会議支援装置。
【請求項２】
医療における会議を支援する会議支援装置における会議支援方法であって、
患者検査データ及び会議の議題を設定をする工程と、
会議の議題となる患者情報のリスト表示に際して、当該議題に関する会議資料準の備状況又は結論状態をアイコンとして表示する工程とを有することを特徴とする会議支援方法。
【請求項３】
コンピュータが読み出して実行することにより、前記コンピュータを、請求項１に記載の会議支援装置として機能させることを特徴とするプログラム。
【発明の詳細な説明】
【技術分野】
【０００１】
本発明は、医療カンファレンスの会議支援装置に関する。
【背景技術】
【０００２】
近年、医療分野においても診断所見や治療計画の決定あるいは看護・介護への引継ぎに際して、会議（医療カンファレンス）による合議を行う機会が増加している。この背景には、現在の医療が、医師個人による単独医療から複数人によるチーム医療へと推移している事が挙げられる。一方で、医療現場では、診察や治療などに依然として多くの時間が必要であり、医療カンファレンスの準備や実施に割り当てる時間がなかなか確保できていないのが実状である。
【０００３】
医療画像管理システム（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ  以下、ＰＡＣＳ）については、現在、多くの病院においてＤＩＣＯＭ（Ｄｉｇｉｔａｌ  Ｉｍａｇｉｎｇ  ａｎｄ  ＣＯｍｍｕｎｉｃａｔｉｏｎ  ｉｎ  Ｍｅｄｉｃｉｎｅ）標準が普及している。
【０００４】
その一方で、電子カルテ（ｅｌｅｃｔｒｏｎｉｃ  ｍｅｄｉｃａｌ  ｒｅｃｏｒｄ）については、ＨＬ７（Ｈｅａｌｔｈ  Ｌｅｖｅｌ  Ｓｅｖｅｎ）の診療文書標準ＨＬ７  ＣＤＡ（Ｃｌｉｎｉｃａｌ  Ｄｏｃｕｍｅｎｔ  Ａｒｃｈｉｔｅｃｔｕｒｅ）などの標準が提唱されているものの普及が進んでいない。
【０００５】
また、検査報告書（以下、レポート）管理システムでは、読影医や病理医が作成したレポートを管理している。また、近年では、医療現場においても、ＰＡＣＳで管理されるＤＩＣＯＭ画像以外の多くの画像データ（非ＤＩＣＯＭ画像）が利用されるようになっている。典型的には、デジタルカメラで撮影された外傷や手術前後の患部の写真画像である。これらは、ＰＡＣＳとは別に画像管理システムで管理される事が多い。上記の医療カンファレンスにおいては、これらの電子カルテ、ＰＡＣＳ、レポート管理システム、あるいは、画像管理システムに、それぞれに保持される情報をそれぞれのアプリケーションで参照して議論が進められる。
【０００６】
特許文献１においては、医療カンファレンスに際して参照される患者検査データの提示方法が説明されている。特に、年月日の軸と検査項目の軸を備える検査実績表（マトリクスビュー）上に、カンファレンス開催日を表示する点（検査画像と会議資料とを同様に扱う点）が開示されている。これによって、検査データを参照する時系列上で、会議データを参照する事を可能として、ユーザ（医師など医療従事者）へ分かり易く提示する事を目的としている。
【先行技術文献】
【特許文献】
【０００７】
【特許文献１】特開２００５−４３９５１号公報
【発明の概要】
【発明が解決しようとする課題】
【０００８】
しかしながら、医療カンファレンスで参照される情報は、検査データに限定されない。電子カルテ上に記録された診断所見や各種レポート、あるいは、画像データベースに保存されたカメラ写真（非ＤＩＣＯＭデータ）など多種多様な情報を会議に参加する医師の求めに応じて参照する必要がある。
【０００９】
また、医療カンファレンスの実施時間の確保が難しいことから、所定の時間内で、確実かつ短時間に多くの患者情報を共有し、結論に合意してゆけるよう医療カンファレンスを議事進行支援してゆく必要がある。医療従事者によっては、医療カンファレンスの開始から終了まで全ての症例に参加できず、自分に関係する一部の症例にのみ参加する場合もある。
【００１０】
また、病院評価や治療報酬の面からは、確実に医療カンファレンスを実施した事の証拠記録が求められている。
【００１１】
本発明は上述した問題を解決するためになされたものであり、医療カンファレンスにおける会議準備／会議進行／会議記録を効率化するための会議支援システムおよび会議支援方法を提供することを目的とする。
【課題を解決するための手段】
【００１２】
上述の問題点を解決するため、本発明の会議支援装置は以下の構成を有する。すなわち、医療における会議を支援する会議支援装置であって、患者検査データ及び会議の議題を設定をする手段と、会議の議題となる患者情報のリスト表示に際して、当該議題に関する会議資料準備状況又は結論状態をアイコンとして表示する表示制御手段とを有する。
【発明の効果】
【００１３】
本発明によれば、
会議資料の準備状況や会議の進行状況を医療カンファレンス参加者が分かり易く把握する事ができ、また、会議結論や会議状況を簡単に記録する事ができる。結果として、多忙な医師が、医療カンファレンスをスムーズに進行できる。
【図面の簡単な説明】
【００１４】
【図１】本発明を用いた典型的な利用形態を示した図
【図２】プログラム構成を模式化した図
【図３】会議クライアント装置１の会議進行部の議題一覧画面の動作を示した流れ図
【図４】会議クライアント装置１の会議進行部の議題患者詳細画面の動作を示した流れ図
【図５】（ａ）会議クライアント装置１の会議進行部の会議開始前の画面を説明する図（ｂ）会議クライアント装置１の会議開始前の会議選択を説明する図（ｃ）会議クライアント装置１の会議開始前の患者検索を説明する図（ｄ）会議クライアント装置１の会議開始を説明する図（ｅ）会議クライアント装置１の議題順序変更を説明する図（ｆ）会議クライアント装置１の議題４番の開始前を説明する図
【図６】（ａ）会議クライアント装置１の議題４番の開始した画面を説明する図（ｂ）会議クライアント装置１の資料リスト（検査画像タブ）のスクロールを説明する図
【図７】（ａ）会議クライアント装置１の選択した資料のワークスペース表示を説明する図（ｂ）会議クライアント装置１の資料リストからのドラッグアンドドロップを説明する図
【図８】（ａ）会議クライアント装置１の資料リストを説明する図（ｂ）会議クライアント装置１の資料リストを説明する図
【図９】（ａ）会議クライアント装置１の資料へのアノテーションと自動サマリ設定を説明する図（ｂ）会議クライアント装置１のアノテーションの色選択を説明する図（ｃ）会議クライアント装置１の色違いのアノテーションを説明する図（ｄ）会議クライアント装置１の議題資料のスケール表示を説明する図
【図１０】（ａ）会議クライアント装置１のサマリ用に設定した資料を説明する図（ｂ）会議クライアント装置１の診療情報表示エリアを非表示を説明する図（ｃ）会議クライアント装置１の資料２画面分割を説明する図（ｄ）会議クライアント装置１の資料２画面表示を説明する図（ｅ）会議クライアント装置１の資料２画面表示で資料リストの非表示を説明する図
【図１１】会議クライアント装置１の非ＤＩＣＯＭ画像表示を説明する図
【図１２】（ａ）会議クライアント装置１の簡単結論入力を説明する図（ｂ）会議クライアント装置１の簡単結論入力済みを説明する図（ｃ）会議クライアント装置１のコメント追加を説明する図
【図１３】（ａ）会議クライアント装置１の議題後と次議題ハイライトを説明する図（ｂ）会議クライアント装置１の会議中断中を説明する図（ｃ）会議クライアント装置１の会議再開後を説明する
【発明を実施するための形態】
【００１５】
以下、添付の図面を参照して、本願発明をその好適な実施形態に基づいて詳細に説明する。なお、以下の実施形態において示す構成は一例に過ぎず、本発明は図示された構成に限定されるものではない。
【００１６】
＜実施形態１＞
本実施形態では、本発明による医療カンファレンス支援システムが、病院内の電子カルテ／医療画像管理システム／検査報告書（レポート）システム／画像管理システム／ファイルサーバと連携して会議を進行する例を説明する。特に、本実施形態では、資料準備状況表示、結論状況表示、会議進行状況表示、外部システム参照、非ＤＩＣＯＭ画像参照、サマリデータ記録、簡単結論入力に特徴がある。
【００１７】
第１図は、本発明を用いた実施形態の典型的な利用形態を示した図である。医療カンファレンス支援システムは、会議クライアント１と会議サーバ２とから構成されている。また、病院内の各種サーバ群（ファイルサーバ３、ＰＡＣＳサーバ４、診断レポートサーバ５、電子カルテサーバ６、オーダリングシステム７、画像管理サーバ８）と接続されている。会議クライアント１は複数台あっても構わない。また、会議サーバ２の機能を会議クライアント１に内包させ、ピア・ツー・ピア（Ｐ２Ｐ）の構成としても構わない。会議クライアント１と会議サーバ２と病院内の各種サーバ群（３〜８）とは、有線もしくは無線のネットワーク９で接続されている。
【００１８】
会議クライアント１も会議サーバ２もハードウェア構成は同様なので、会議クライアント１について詳細に述べる。ＵＩデバイス１０１はマウスやデジタイザやキーボード等であり、会議クライアント１にユーザの指示を入力するために用いられる。ＣＰＵ１０２とＲＡＭ１０３が存在し、プログラム用記憶領域１０６からＲＡＭ１０３に読み込んだプログラムをＣＰＵ１０２によって解釈・実行することによって装置内の各種制御や計算、ＵＩの表示が可能である。通信ＩＦ１０４はネットワーク９に繋がっており、会議サーバ２や病院内の各種サーバ（３〜８）との間の通信インタフェースである。ＵＩ表示部１０５は装置の状態や処理内容を表示するＬＥＤや液晶パネル等である。さらに、プログラム用記憶領域１０６とデータ用記憶領域１０７とが存在する。具体的にはハードディスクやフラッシュメモリを用いてこれら記憶領域は実現可能であるが、本発明は特定の記憶媒体に依存しないことは言うまでもない。会議クライアント１では、データ用記憶領域１０７に会議資料１０が置かれる。なお、会議資料１０はファイルサーバ３上に置かれていても構わない。また、会議サーバ２では、データ用記憶領域２０７に資料登録情報２０と会議情報２１とが置かれる。
【００１９】
会議資料は、患者毎または症例毎に集められバインダという単位で管理される。ただし、会議資料の実体はバインダ内には置かず会議資料の管理情報のみを置く。ファイルサーバ３にはバインダプール３０１が配置され、その中に患者毎もしくは症例毎にバインダ３０２が作られる。なお、バインダプール３０１は会議サーバ２のデータ用記憶領域２０７の中に配置しても構わない。各バインダ３０２の中には、登録した資料毎にプレゼン画像３０とサムネイル３１が作られる。医療用画像はサイズが大きく取り扱いづらいため、より会議中の表示に適したプレゼン画像３０が作られている。また、会議中に画像に対して行われた手書きメモの情報は、アノテーション３２として各バインダ３０２に保存される。さらに、会議の結論や使用した画像を１つの文書としてまとめたものは、サマリ３３として各バインダ３０２に保存される。
【００２０】
この構成で、会議クライアント装置および会議サーバ装置で動作する医療カンファレンス支援システムが、ネットワーク接続される電子カルテや医療画像管理システム等と連携して会議を進行する事が可能となる。
【００２１】
なお、図のネットワークは、病院あるいは組織内で運用されるイントラネットである場合もあり、インターネットである場合もある。また、ネットワークは、無線でも有線でもかまわない。
【００２２】
なお、電子カルテシステム／医療画像管理システム／検査報告書（レポート）システム／画像管理システム／ファイルサーバ／オーダーシステムは、広く普及している装置なので、ハードウェア構成例や動作フローの説明を省略する。
【００２３】
図２は会議支援装置のプログラム構成を模式化した図である。会議クライアント装置１には、患者検査データなどの会議資料の準備や会議議題を設定をする会議準備部と、設定した議題の会議資料を会議中に参照して会議を進行支援する会議進行部と、会議結果をサマリとして作成し配布する会議サマリ出力部とを含む。これらのプログラムは、それぞれの装置のメモリや記憶装置に保管され、それぞれの装置のＣＰＵによって実行される。そして、必要に応じて、ネットワークＩ／ＦやＵＳＢインタフェース、あるいは、各種コントローラを制御する事で機能する。また、これらのプログラムは、ネットワークインターフェースを経由した通信コマンド、周辺コントローラを経由したマウス／キーボード／リモコンの操作、あるいは、マイク入力を経由した音声コマンド等によって、ユーザ操作や自動操作を検出し動作する。
【００２４】
この構成によって、本発明による医療カンファレンス支援システムが、病院内の電子カルテ／医療画像管理システム／検査報告書（レポート）システム／画像管理システム／ファイルサーバと連携して会議を進行する事が可能となる。特に、本実施形態では、資料準備状況表示、結論状況表示、会議進行状況表示、外部システム参照、非ＤＩＣＯＭ画像参照、サマリデータ記録、簡単結論入力に特徴がある。
【００２５】
以下、各プログラムの動作を図を用いて説明する。以下のプログラム動作説明において、各プログラムの起動時に読み込まれる設定情報は、それぞれの装置の起動時に、不揮発性の記憶装置やネットワークから読み込まれ、それぞれの装置のメモリや記憶装置に保管されている。それらの設定値は、工場出荷時の規定値、あるいは、別ツールなどを用いて設定されたユーザ指定値となる。
【００２６】
図３は会議クライアント装置１の会議進行部の議題一覧画面の動作を示した流れ図である。会議進行部は、議題一覧画面において、選択された会議の会議情報、ならびに、議題となる患者一覧を表示して、ユーザ（医師など医療従事者）からの操作を受け取り、操作に応じて処理する。
【００２７】
まず、ステップＳ３０１において、会議進行部の設定情報を読み込む。ステップＳ３０２で、議題患者の一覧画面を更新する。ステップＳ３０３で、ユーザ入力あるいは通信メッセージを取得する。そして、以下の通り、その入力内容あるいは通信メッセージ内容に応じて処理を実行する。もしも終了指示であるならば、ステップＳ３０４で、会議進行部の処理を終了する。もしも会議選択指示であるならば、ステップＳ３０５で、会議選択のために会議一覧画面（図６（ａ））に遷移して、次の指示を待つ。もしも議題患者選択指示であるならば、ステップＳ３０６で、患者選択のために患者検索画面（図５（ｃ））に遷移して、次の指示を待つ。もしも議題順序入替指示であるならば、ステップＳ３０７で、議題患者の一覧画面において指示された患者順序を入替して（図５（ｅ））、次の指示を待つ。もしも議題患者詳細指示であるならば、ステップＳ３０８で、議題患者詳細画面（図６（ａ））に遷移して、次の指示を待つ。もしも会議状態変更指示であるならば、ステップＳ３０９で、議題患者の一覧画面において指示された会議状態変更して（図５（ｄ）、図１３（ｂ）、図１３（ｃ））、次の指示を待つ。そして、これらステップＳ３０５からステップＳ３０９までの処理の後、ステップＳ３０２に戻り、以上の処理を繰り返す。
【００２８】
図４は会議クライアント装置１の会議進行部の議題患者詳細画面の動作を示した流れ図である。会議進行部は、議題患者詳細画面において、選択された議題となっている患者の診療情報、検査画像、各種レポート、ならびに、非ＤＩＣＯＭ画像などを表示し、ユーザ（医師など医療従事者）からの操作を受け取り、操作に応じて処理する。
【００２９】
まず、ステップＳ４０１において、議題患者詳細画面を更新する。ステップＳ４０２で、ユーザ入力あるいは通信メッセージを取得する。そして、以下の通り、その入力内容あるいは通信メッセージ内容に応じて処理を実行する。もしも閉じる指示であるならば、ステップＳ４０３で、議題患者詳細画面を閉じて、議題患者の一覧画面に戻る。もしも会議資料選択指示であるならば、ステップＳ４０４で、指定された資料を選択して、次の指示を待つ。これには、会議資料のタブ切り替え、ならびに、ワークスペースへのドラッグアンドドロップを含む（図６（ｂ）、図７（ａ）、図７（ｂ）、図８（ａ）、図８（ｂ））。もしも会議資料表示指示であるならば、ステップＳ４０５で、会議資料を表示して、次の指示を待つ。これには、ワークスペースにおける拡大縮小、表示領域移動、２画面分割を含む（図９（ｄ）、図１０（ｃ）、図１０（ｄ））。もしもアノテーション指示であるならば、ステップＳ４０６で、ワークスペースの会議資料に対してアノテーション（注釈）を付与して、次の指示を待つ。これには、アノテーションの入力、ならびに、色変更を含む（図９（ａ）、図９（ｂ）、図９（ｃ））。もしもサマリ資料保存指示であるならば、ステップＳ４０７で、ワークスペースの会議資料をサマリ用に保存して、次の指示を待つ。これには、自動サマリ設定とサマリ資料表示を含む（図９（ａ）、図１０（ａ））。もしも外部システム参照指示であるならば、  ステップＳ４０８で、電子カルテやＰＡＣＳなど外部システムを呼び出して、次の指示を待つ。もしも結論簡単入力指示であるならば、ステップＳ４０９で、当該議題患者の診断所見や治療計画について議論の結論を入力して（図１２（ｂ））、次の指示を待つ。もしも議事コメント入力指示であるならば、ステップＳ４１０で、当該議題患者の議論に関するコメントを入力して（図１２（ｃ））、次の指示を待つ。もしも患者詳細や資料リストの表示／非表示指示であるならば、ステップＳ４１１で、画面上の患者詳細や資料リストを表示／非表示で切り替えて（図１０（ｂ）、図１０（ｅ））、次の指示を待つ。そして、これらステップＳ４０４からステップＳ４１１までの処理の後、ステップＳ４０１に戻り、以上の処理を繰り返す。
【００３０】
以下、会議クライアント装置１の会議進行部が、ＵＩ表示部に表示する画面を用いて説明する。これらの画面は、会議クライアント装置１のＵＩ表示部（表示コントローラ）で表示され、ＵＩデバイスからの入力で操作される。
【００３１】
図５（ａ）は会議クライアント装置１の会議進行部の会議開始前の画面を説明する図である。会議クライアント装置１は、会議サーバから必要な情報を取得する事により、会議クライアント装置１を利用するユーザ（医師など医療従事者）が参加者として設定されている最新の会議を自動的に提示する。５０１は、会議状態表示エリアである。左側には、事前に設定された会議名称、会議開催日時、会議場所、ならびに、参加者リストを表示する。また、右側には、会議ステータス（ここでは会議開催前）、および、変更ボタンを表示する。変更ボタンが押されると、会議クライアント装置１の会議準備部を呼び出し、会議名称、会議開催日時、会議場所、ならびに、参加者を変更可能とする。５０２は、議題患者リスト表示エリアである。事前に会議準備部によって議題として設定された患者リストを表示する。患者リストのそれぞれの患者情報は、患者基礎情報（患者ＩＤ、氏名、性別、年齢）、担当医師名、資料準備状況アイコン、議題表示ボタン、結論表示エリア、ならびに、サマリ作成ボタン、から構成される。
【００３２】
５０３は、会議一覧ボタンである。会議一覧ボタン５０３が押されると、図５（ｂ）で説明する画面へ遷移する。５０４は、患者選択ボタンである。患者選択ボタン５０４が押されると、図５（ｃ）で説明する画面へ遷移する。５０５は、会議開始ボタンである。会議開始ボタン５０５が押されると、図５（ｄ）で説明する画面へ遷移する。５０６は、資料準備状況アイコンである。議題患者リスト表示エリア５０２に含まれる一つ一つの議題となっている患者に関する資料準備状況を表示する。本実施形態では、左から順に、カルテ情報（診断所見や治療計画など）、検査画像情報（ＤＩＣＯＭ画像など）、レポート情報（読影レポートや病理診断レポートなど）、および、その他の情報（カメラ画像やシェーマ図など）、である。当該患者に関する、それぞれの種類の会議資料の準備状況をアイコン表示によって分かり易く表示する。
【００３３】
また、これらのアイコンは、それぞれの種類の会議資料を準備するための外部システム呼び出しボタンとなっている。カルテ情報アイコンでは電子カルテが、検査画像情報アイコンではＰＡＣＳビューワが、レポート情報アイコンでは、レポートビューワが、そして、その他の情報アイコンではファイルブラウザを起動する。５０７は、議題表示ボタンである。開くボタン５０７が押されると、図６（ａ）で説明する画面へ遷移する。５０８は、結論表示エリアである。５０９は、サマリ作成ボタンである。サマリ作成ボタン５０９が押されると、会議サマリ出力部を呼び出す。
【００３４】
図５（ｂ）は会議クライアント装置１の会議開始前の会議選択を説明する図である。６０１は、会議選択パネルである。会議一覧ボタン５０３が押されると、会議選択パネル６０１を右からスライドインして表示する。会議選択パネル６０１には、ユーザが参加者として割当られた会議の一覧がリスト表示され、リスト中から所望の会議を選択する事で、画面中の会議状態表示と議題患者リストとを切り替える。６０２は、会議一覧ボタンである。会議選択パネル上部に表示される。会議一覧ボタン６０２が押されると、会議準備部の会議一覧を表示し、会議を切り替える事が可能となる。
【００３５】
図５（ｃ）は会議クライアント装置１の会議開始前の患者検索を説明する図である。７０１は、患者選択パネルである。患者選択ボタン５０４が押されると、患者選択パネル７０１を右からスライドインして表示する。患者選択パネル７０１によって、所望の患者を検索し、議題患者リスト表示エリア５０２に追加する事ができる。７０２は、患者ＩＤ患者名の入力エリアである。所望の患者を検索する際の検索条件を指定する事ができる。入力された文字列が、患者ＩＤおよび患者名と部分一致する患者を検索する。また、患者ＩＤ患者名の入力エリアの下方には、検索対象を、自分が資料準備した患者に限定するチェックボックスがある。７０３は、検索ボタンである。検索ボタンを押す事で、検索条件に合致した患者をリスト表示する。
【００３６】
７０４は、検索結果リストである。検索条件に合致した患者を、ここにリスト表示する。なお、検索結果リスト７０４の個々の項目には、追加ボタンを提示する。この追加ボタンを押す事によって、議題患者リスト表示エリア５０２の末尾に、当該患者を追加する。また、検索結果リストから、議題患者リスト表示エリア５０２へ直接ドラッグアンドドロップする事で、ドロップされた議題患者リストの位置に、当該患者を挿入する事ができる。
【００３７】
図５（ｄ）は会議クライアント装置１の会議開始を説明する図である。会議開始ボタン５０５が押されると、会議を開始する。８０１は、会議ステータス（ここでは会議中）である。８０２は、議題患者リスト表示エリア５０２において選択された患者を示す。会議開始直後に、最初の議題となる患者を選択する。選択された患者は、ハイライトされた枠線で囲まれ、開くボタン８０４が強調表示される。８０３は、会議中断ボタンである。会議中断ボタン８０３が押されると、図１３（ｂ）で説明する画面へ遷移する。８０４は、会議終了ボタンである。会議終了ボタン８０４が押されると、当該会議を終了状態にする。
【００３８】
図５（ｅ）は会議クライアント装置１の議題順序変更を説明する図である。議題患者リスト表示エリア５０２において選択された患者８０２を、議題患者リスト表示エリア５０２内でドラッグアンドドロップする事によって、会議において議論する議題の順序を変更する。９０１は、順序を変更された後の選択された患者を示す。
【００３９】
図５（ｆ）は会議クライアント装置１の議題４番の開始前を説明する図である。会議において、議題１〜３の患者に関する議論を終えた時点での画面を説明している。１００１、１００２、１００３は、議題１〜３の結論状態を示す。それぞれに、承認、承認、要追記である。個別議題の内容を開く事なく、分かり易く表示する。結論状態の右方には、サマリ作成ボタンを押下可な状態（ｅｎａｂｌｅｄ）で表示する。なお、未決議題（結論状態が空）のサマリ作成ボタンは押下不可な状態（ｄｉｓａｂｌｅｄ）で表示する。
【００４０】
１００４は、次に議論される患者である。ハイライトされた枠線で囲まれ、開くボタン８０４が強調表示される。ここで、開くボタン８０４が押されると、図６（ａ）で説明する画面へ遷移する。
【００４１】
図６（ａ）は会議クライアント装置１の議題４番の開始した画面を説明する図である。開くボタン８０４が押されると、当該議題患者の詳細情報を表示する。担当医師は、この詳細情報の表示を参照して、患者基礎情報、診療情報（カルテ情報の診断所見や治療計画）、そして、その診断所見や治療計画の根拠となった検査データを順番に確認し説明する事ができる。
【００４２】
１１０１は、議題状態インジケータである。議題状態インジケータの上部では、当該議題の会議内での順序を示す。本実施形態では、会議全体で１０件中の４番目の議題である。前３件は議決しており、残６件は、未決である事を示している。議題状態インジケータの下部では、次の議題となる患者氏名と担当医師名を示す。１１０２は、患者基礎情報である。議題患者リスト５０２と同様に、患者ＩＤ、氏名、性別、年齢、ならびに、担当医師名を表示する。１１０３は、診療情報表示エリアである。電子カルテから抽出されたＳＯＡＰ情報を表示する。
【００４３】
１１０４は、会議資料表示エリアである。会議クライアント装置１の会議準備部によって準備された会議資料をリスト表示する。それぞれの会議資料は、検査画像情報、レポート情報、その他の情報の何れかであり、それぞれの種類ごとにリストされる。リスト上の各資料には、サムネイル画像と検査日付と資料準備担当者名、および、外部システム呼び出しボタンを表示する。外部システム呼び出しボタンによって、電子カルテやＰＡＣＳビューワなどの外部システムを起動し、会議資料のオリジナルを参照する事ができる。
【００４４】
１１０５は、ワークエリアである。会議資料表示エリア１１０４からドラッグアンドドロップによって選択された会議資料を表示する。ワークエリア１１０５下部には、ワークエリアでの会議資料表示オプションが並ぶ。左から、単一資料表示切替ボタン、２資料の比較表示切替ボタン、アノテーションペン選択ボタン、アノテーションペン色変更ボタン、消しゴムボタン、である（図９（ａ）、図９（ｂ）、図９（ｃ）で説明する）。
【００４５】
１１０６は、サマリ資料表示エリアである。サマリに反映する会議資料の
サムネイルをリスト表示する。このエリアの会議資料は、アノテーションとともに保持され、サマリ作成部に渡される。１１０７は、結論入力エリアである。当該患者の所見診断や治療方針、ならびに、根拠とした検査データに関して、医師による議論が行われた際の結論を簡便に入力する事ができる。本実施形態では、承認、要追記、継続から選択する。
【００４６】
１１０８は、資料切替ボタンである。会議資料表示エリア１１０４に表示する資料の種類を、検査画像情報、レポート情報、その他の情報から選択して切り替える。１１０９は、会議資料表示トグルボタンである。会議資料表示エリア１１０４の表示／非表示を切り替える（図１０（ｅ））。１１１０は、診療情報表示トグルボタンである。診療情報表示エリア１１０３の表示／非表示を切り替える（図１０（ｂ））。１１１１は、会議メモ表示トグルボタンである。当該患者に関する会議メモの入力エリアの表示／非表示を切り替える。
１１１２は、更新反映ボタンである。画面表示以外の操作（バックグラウンドジョブなど）によって変更された情報を画面に反映する。
【００４７】
１１１３は、電子カルテ起動ボタンである。診療情報表示エリア１１０３に配置される。電子カルテを起動して、電子カルテシステム上の当該患者のオリジナル情報を参照する）。１１１４は、資料追加ボタンである。会議資料表示エリア１１０４に配置される。不足資料追加などのためファイル選択ダイアログを起動する。１１１５は、サマリ作成ボタンである。会議サマリ出力部を呼び出し、当該患者の議論に関するサマリを作成する。１１１６は、閉じるボタンである。当該議題患者の詳細情報を閉じて、図５（ａ）などで説明した議題一覧表示に遷移する。
【００４８】
図６（ｂ）は会議クライアント装置１の資料リスト（検査画像タブ）のスクロールを説明する図である。１２０１は、会議資料表示エリアである。このエリアで、上下方向のドラッグ動作をした場合には、上下方向にリスト項目をスクロールする。また、上下方向のフリック動作をした場合には、上下方向にリスト項目を慣性スクロールする。
【００４９】
図７（ａ）は会議クライアント装置１の選択した資料のワークスペース表示を説明する図である。１３０１は、会議資料表示エリアの中で選択された資料である。選択された資料のサムネイル部分にハイライトされた枠線を表示する。１３０２は、ワークスペースに表示された選択された資料である。選択した資料をワークスペースに表示する方法については、次の図７（ｂ）で説明する。ワークスペースでは、選択された資料の参照用画像（サムネイルよりも情報量が多い）を表示する。１３０３は、アノテーション全消去ボタンである。ワークエリア１１０５下部の消しゴムボタンが、選択したアノテーションのみを消去するのに対して、アノテーション全消去ボタンは、当該資料に付与された全てのアノテーション情報を削除する。
【００５０】
１３０４は、サマリ保存チェックボックスである。サマリ保存チェックボックスによって、当該資料をサマリ反映の可否を指定する。指定された資料は、資料を閉じた際にサマリ資料表示エリアに表示する。１３０５は、外部参照ボタンである。当該資料のオリジナルを参照するため、外部システム（電子カルテやＰＡＣＳビューワなど）を起動する）。１３０６は、ワークスペース表示資料の閉じるボタンである。当該資料を閉じて、ワークエリアから除く。
【００５１】
図７（ｂ）は会議クライアント装置１の資料リストからのドラッグアンドドロップを説明する図である。１４０１は、会議資料表示エリアの中で選択された資料の操作用サムネイル表示である。選択された資料をドラッグアンドドロップする事で、ワークスペースに表示する。操作用サムネイル表示は、半透明表示のサムネイル画像に、操作中である事を示す  “＋”（プラスマーク）アイコンが重畳表示される。
【００５２】
図８（ａ）は会議クライアント装置１の資料リスト（レポートタブ）を説明する図である。１５０１は、資料切替ボタンの中のレポートタブである。レポートタブが押されると、会議資料として準備した資料の内、レポート（検査報告書）に分類されている資料を会議資料表示エリアにリスト表示する。本実施形態のシステムでは、レポートも検査画像と同様に扱う。会議資料表示エリアの資料をワークスペースに表示する手順は、同様に、ドラッグアンドドロップである。
【００５３】
図８（ｂ）は会議クライアント装置１の資料リスト（非ＤＩＣＯＭ画像タブ）を説明する図である。１６０１は、資料切替ボタンの中の非ＤＩＣＯＭ画像タブである。非ＤＩＣＯＭ画像タブが押されると、会議資料として準備した資料の内、非ＤＩＣＯＭ画像（カメラ画像やＰＣ画像）、ならびに、ドキュメント（テキストや各種オフィス系ドキュメント）に分類されている資料を会議資料表示エリアにリスト表示する。本実施形態のシステムでは、非ＤＩＣＯＭ画像やドキュメントも検査画像と同様に扱う。会議資料表示エリアの資料をワークスペースに表示する手順は、同様に、ドラッグアンドドロップである。
【００５４】
図９（ａ）は会議クライアント装置１の資料へのアノテーションと自動サマリ設定を説明する図である。１７０１は、アノテーション指定ボタンである。ワークスペースにおけるアノテーション入力モードとポインティングモードとをトグル動作により切り替える。１７０２は、アノテーション入力結果の例である。マウスやタッチデバイスなどで入力されたストロークの入力結果を、検査画像データに重畳表示する。１７０３は、サマリ保存チェックボックスである。このチェックボックスをセットされた資料をサマリ作成のために、サマリ資料表示エリア１１０６に保存する。なお、アノテーションされた資料は、チェックボックスを自動的にセットする事で、ユーザの負担を軽減する。逆に、自動的にセットされたチェックボックスをユーザが明示的にクリアした場合には、アノテーションされた資料であってもサマリ資料表示エリア１１０６に保存しない。１７０４は、消しゴムボタンである。指定されたアノテーション部分を消去する。１７０５は、アノテーション全消去ボタンである。全てのアノテーション情報を消去する。
【００５５】
図９（ｂ）は会議クライアント装置１のアノテーションの色選択を説明する図である。
【００５６】
１８０１は、色選択ボタンである。アノテーションの入力色を、色選択パネルを使って指定する。１８０２は、色選択パネルである。アノテーションの入力色を指定する。この結果、色分けしたアノテーションが可能となり、会議の議論過程を分かり易く表現できる（図９（ｃ））。
【００５７】
図９（ｄ）は会議クライアント装置１の議題資料のスケール表示を説明する図である。２００１は、図９（ｃ）における会議資料のアノテーション領域付近を、ワークスペースにおけるユーザ操作によって拡大した会議資料の例である。指定領域において、ユーザによるピンチイン／ピンチアウト操作（２本指による摘み動作）あるいはマウスホイール操作などを検出する事で、会議資料を拡大／縮小する。また、図示していないが、ワークスペースの指定領域でのユーザ操作によって、表示領域を移動する。ここでは、ドラッグ動作によって移動する。
【００５８】
図１０（ａ）は会議クライアント装置１のサマリ用に設定した資料を説明する図である。
【００５９】
２１０１、２１０２、２１０３は、それぞれ、サマリ資料表示エリア１１０６に保持されるサマリに反映する会議資料のリストである。会議中にアノテーション付与された資料あるいは明示的にサマリ用に指定された資料をリスト表示する事で、会議進行状況を視覚化する。なお、ここでは、アノテーション付与や拡大縮小あるいは表示領域の移動など会議中にワークスペースで行われた操作の結果をサムネイル表示する。サマリにも、サムネイルと同様に会議中に行われた操作の結果を反映する。
【００６０】
図１０（ｂ）は会議クライアント装置１の診療情報表示エリアを非表示を説明する図である。診療情報表示トグルボタン１１１０の操作によって、診療情報表示エリア１１０３を非表示にした画面を示している。この際、サマリ資料表示エリア１１０６は、左方向に水平移動して、ワークスペースを拡大する。これによって、会議資料をより大きなスペースで表示・議論する事が可能となり、会議の分かり易さを向上する。
【００６１】
図１０（ｃ）は会議クライアント装置１の資料２画面分割を説明する図である。２３０１は、２画面分割ボタンである。この操作によって、ワークスペース領域を２画面分割する。そして、分割されたワークスペースでは、それぞれに会議資料を表示しアノテーション付与や拡大縮小する事ができる（図１０（ｄ））。これによって資料比較を容易にしている。２３０２は、１画面化ボタンである。逆に、分割された画面を１つにする。本実施形態では、左画面を残して、右画面を消去する。
【００６２】
図１０（ｅ）は会議クライアント装置１の資料２画面表示で資料リストの非表示を説明する図である。会議資料表示トグルボタン１１０９の操作によって、会議資料表示エリア１１０４を非表示にした画面を示している。この際、ワークスペースを拡大する。これによって、会議資料をより大きなスペースで表示・議論する事が可能となり、会議の分かり易さを向上する。なお、この図では、診療情報表示エリア１１０３も非表示になっているが、会議資料表示トグルボタン１１０９と診療情報表示トグルボタン１１１０とは、独立に動作しうる。すなわち、会議資料表示エリア１１０４のみを非表示として、診療情報表示エリア１１０３を表示する事も可能である。
【００６３】
図１１は会議クライアント装置１の非ＤＩＣＯＭ画像表示を説明する図である。非ＤＩＣＯＭ画像を用いた議論を進める場合にも、上記の検査画像に関する動作と同様の操作によって、ワークスペースにドラッグアンドドロップする事で、アノテーション付与／拡大縮小／表示領域移動／画面分割（資料比較）の動作を行う。
【００６４】
図１２（ａ）は会議クライアント装置１の簡単結論入力を説明する図である。上記説明の通り、当該患者の所見診断や治療方針、ならびに、根拠とした検査データに関して、医師による議論が行われた際の結論を、結論入力エリア１１０７を使って入力する。これによって、合意である場合には「承認」を（図１２（ｂ））、別途コメントを追記する必要がある場合には「要追記」を、継続検討が必要な場合には「継続」を簡単に選択するだけで入力できる。会議サマリ出力部では、ここで入力された結論を、サマリに反映する。
【００６５】
図１２（ｃ）は会議クライアント装置１のコメント追加を説明する図である。会議メモ表示トグルボタン１１１１によって、当該患者に関する会議メモの入力エリアの表示／非表示を切り替える。２９０１は、会議メモ入力エリアである。テキスト情報を入力できる。２９０２は、発言種類選択ボックスである。発言の種類を、質問／回答／アクションアイテム／コメント／結論など簡便に指定できる。２９０３は、発言者選択ボックスである。発言者を会議参加者の中から簡便に指定できる。２９０４は、会議メモエリアである。入力された個々の発言内容を一覧表示する。ここに記録された発言メモは、サマリ資料表示エリア１１０６に保持される会議中に参照された資料とともに、サマリ作成部に渡される。
【００６６】
図１３（ａ）は会議クライアント装置１の議題後と次議題ハイライトを説明する図である。上記に説明した議題４番の画面を用いた議論を経て、ユーザが、結論入力エリア１１０７から結論を入力し、閉じるボタン１１１６を操作すると、その結果、本システムは、本図の通り、個別の議題の画面から議題患者リスト表示に戻る。この際、議題４番の議論が終了した事を判定して、議題５番を次議題として、自動的に選択する。そして、議題５番の開始を促すため、当該議題をハイライトして、開くボタン８０４にフォーカスする。
【００６７】
図１３（ｂ）は会議クライアント装置１の会議中断中を説明する図である。議題患者リスト表示されている状態で、会議中断ボタン８０３を押すと、本図の通り、会議中断中となる。３１０１は、会議再開ボタンである。会議中断中となった場合に表示される。このボタンの操作によって会議を再開する（図１３（ｃ））。
【００６８】
以上の構成で、本発明による医療カンファレンス支援システムが、病院内の電子カルテ／医療画像管理システム／検査報告書（レポート）システム／画像管理システム／ファイルサーバと連携して会議を進行する事が可能となる。特に、本実施形態では、資料準備状況表示、結論状況表示、会議進行状況表示、外部システム参照、非ＤＩＣＯＭ画像参照、サマリデータ記録、簡単結論入力、に特徴がある。
【００６９】
本実施形態では、２画面分割されたワークスペースへの拡大縮小や表示領域移動の操作は、それぞれ独立に処理されているが、ワークスペースでの処理は、これに限定されない。例えば、２画面分割されたワークスペースの一方への拡大縮小あるいは表示領域の移動を、ワークスペースの他方と連動する事も容易に想像できる。
【００７０】
本実施形態では、一人の議題患者の詳細画面を用いた議論が終わると、一旦、患者リスト表示に戻ってから、次の議題患者を選択するする例を説明しているが、画面遷移は、これに限定されない。例えば、ある議題患者の詳細画面から、直接次の議題患者の詳細画面へ遷移する事も容易に想像できる。
【００７１】
本実施形態では、議題患者の詳細画面における資料リスト表示において、フィルタやソート機能の説明はしないが、資料リスト表示をフィルタやソートする事も容易に想像できる。
【００７２】
＜その他の実施形態＞
本発明の目的は、前述した機能を実現するコンピュータプログラムのコードを記録した記憶媒体を、システムに供給し、そのシステムがコンピュータプログラムのコードを読み出し実行することによっても達成される。この場合、記憶媒体から読み出されたコンピュータプログラムのコード自体が前述した実施形態の機能を実現し、そのコンピュータプログラムのコードを記憶した記憶媒体は本発明を構成する。また、そのプログラムのコードの指示に基づき、コンピュータ上で稼働しているオペレーティングシステム（ＯＳ）などが実際の処理の一部または全部を行い、その処理によって前述した機能が実現される場合も含まれる。
【００７３】
さらに、以下の形態で実現しても構わない。すなわち、記憶媒体から読み出されたコンピュータプログラムコードを、コンピュータに挿入された機能拡張カードやコンピュータに接続された機能拡張ユニットに備わるメモリに書込む。そして、そのコンピュータプログラムのコードの指示に基づき、その機能拡張カードや機能拡張ユニットに備わるＣＰＵなどが実際の処理の一部または全部を行って、前述した機能が実現される場合も含まれる。本発明を上記記憶媒体に適用する場合、その記憶媒体には、先に説明したフローチャートに対応するコンピュータプログラムのコードが格納されることになる。
【図１】
2013186651.tif 000003
【図２】
2013186651.tif 000004
【図３】
2013186651.tif 000005
【図４】
2013186651.tif 000006
【図５】
2013186651.tif 000007
【図６】
2013186651.tif 000008
【図７】
2013186651.tif 000009
【図８】
2013186651.tif 000010
【図９】
2013186651.tif 000011
【図１０】
2013186651.tif 000012
【図１１】
2013186651.tif 000013
【図１２】
2013186651.tif 000014
【図１３】
2013186651.tif 000015